【事件の表示】
　特願２０１４−１８０４５１「写真シール作成装置」拒絶査定不服審判事件〔平成２７年　２月１２日出願公開、特開２０１５−　２８６４４〕について、次のとおり審決する。
【結　論】
　本件審判の請求は、成り立たない。
【理　由】
１　手続の経緯
　本願は、平成２４年４月２４日（優先権主張平成２４年２月９日）に出願した特願２０１２−９８７１６号の一部を平成２６年６月１８日に新たな特許出願（特願２０１４−１２５７８０号）とし、該新たな特許出願の一部をさらに平成２６年９月４日に新たな特許出願としたものであって、平成２６年１１月２６日に手続補正がなされ、平成２７年１月３０日付けで拒絶査定がなされ、これに対して、平成２７年４月２７日に拒絶査定不服審判が請求されたものである。
　
２　本願発明
　本願の請求項１及び２に係る発明は、平成２６年１１月２６日に補正された特許請求の範囲の請求項１及び２に記載された事項によって特定されるものであるところ、その請求項１に係る発明は、その特許請求の範囲の請求項１に記載されたとおりの次のものと認める。
　
「利用者を被写体として撮影し、得られた撮影画像に対して利用者に編集入力を行わせ、前記撮影画像を所定のシール紙に印刷する写真シール作成装置であって、
　撮影空間における前記利用者の背面全面に貼付された背面クロマキー用シートと、
　前記撮影空間における前記利用者の側面下部のみに貼付された側面クロマキー用シートと、
　前記撮影空間の床全面に貼付された床面クロマキー用シートと、
　前記撮影空間にいる前記利用者の全身を前方斜め上から撮影するように、高さと焦点距離とが調整されるカメラ部と、
　前記カメラ部が前記利用者の全身を前方斜め上から撮影して得られた前記撮影画像において、クロマキー処理により、背景領域に所定の背景画像を合成する合成手段と
　を備える写真シール作成装置。」（以下、「本願発明」という。）
　
３　刊行物の記載事項
（１）本願の優先権主張の日（以下、「優先日」という。）前に頒布され原査定の拒絶の理由に引用文献１として引用された刊行物である特開２００１−１００３０５号公報（以下「引用例１」という。）には、次の事項が図とともに記載されている（下線は審決で付した。以下同じ。）。
　
　ア　「【発明の詳細な説明】
【０００１】
【発明の属する技術分野】本発明は、ゲームセンター等に設置され、
硬貨等が投入されて被写体を撮影し、シール，カード，紙類，フィルム等にプリントアウトする写真自販機
【０００２】
【従来の技術】近年、ゲームセンター等において、写真を撮影してシールプリント等にする写真自販機が数多く設置されている。このような写真自販機としては、一般に、図７に示すようなものが用いられている。このものは、
本体
の内部に、略４５°の角度をもってハーフミラー
が設けられ
このハーフミラー
の奥に、被写体を撮影するカメラ
が設けられ、ハーフミラー
の下方には、上記カメラ
で撮影された画像を表示するモニタ
が設けられている
【０００３】上記写真自販機では、ハーフミラー５３を透してカメラ５５で撮影された画像がモニタ５６に表示され、このモニタ５６に表示された画像がハーフミラー５３に反射して被写体５４によって確認できるようになっている。そして、被写体は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
【０００４】
【発明が解決しようとする課題】ところが、
上記従来の写真自販機では、被写体の顔写真やせいぜいバストアップ程度の写真しか撮ることができない。
【０００５】そこで、
被写体
の顔写真だけでなく、全身を撮影できるものとして、
写真自販機が
実施されている
カメラ
がハーフミラー
の奥上方に取り付けられ
被写体
を斜め上から見下ろすように、その全身を撮影することができるようになっている
【０００６】しかしながら、
上記写真自販機でも、１台のカメラ
が固定されている点では
変わるところはない
カメラアングルは一定に固定されていて、変化に富んだアングルで撮影することはできず、多様な写真をとりたいというニーズには十分に応えられていないのが実情である
【０００７】また、上記各従来例の写真自販機では、被写体を照射する照明装置として、一般の蛍光灯やタングステンランプが用いられるが、単に被写体を照明する以外の機能は持たず、この点でも変化に富んだ多様な写真をとりたいというニーズには応えられていない。
【０００８】本発明は、このような事情に鑑みなされたもので、
変化に富んだ撮影を可能とする写真自販機の提供を目的とする
【０００９】
【課題を解決するための手段】上記の目的を達成するため、本発明の写真自販機は、
被写体の写真を撮影して販売する写真自販機であって、被写体を撮影するカメラがスライド可能に取り付けられたレールが設けられ、上記レール上でカメラが回動しうるように構成され
【００１０】また、本発明の写真自販機は、被写体の写真を撮影して販売する写真自販機であって、異なる色の光を照射する複数の光源が設けられ、上記光源のうち任意の光源を選択して照射させる光源選択手段が設けられていることを第２の要旨とする。
【００１１】すなわち、本発明の第１の写真自販機は、被写体を撮影するカメラがスライド可能に取り付けられたレールが設けられ、上記レール上でカメラが回動しうるように構成されている。このため、
上記レールをスライドしながら回動するカメラで被写体を撮影することにより、変化に富んださまざまなカメラアングルでの撮影が可能となり、利用者の多様なニーズに応える
　
　イ　「【発明の実施の形態】つぎに、本発明の実施の形態を詳しく説明する。
【００１９】図１〜図４は、本発明の写真自販機の一実施の形態を示す図である。このものは、本発明をプリント自販機に適用した例を示す。このプリント自販機は、筐体１の内部および表面に各種の装置が設けられている。ここで、説明の便宜上、筐体１において、
使用者(被写体)
【００２０】
上記被写体２の背後には、外部からの光を遮断するカーテン３が配設され
このカーテン３は、筐体１の前面の上部および下部から突出された支持フレーム４，５によって支持される。上記カーテン３の内面には、画像の合成手法に応じた色彩が施され
例えば、クロマキー合成であれば、カーテン３の内面全体に緑，青等のクロマキー合成に適当な色の着色が施され
【００２１】上記筐体１内部の中央前側部には、被写体２を撮影するカメラ６と、このカメラ６が上下スライド移動可能に取り付けられたレール１０とが設けられている。上記レール１０の前側に対応する筐体１の部分には、開口部が形成され、この開口部にガラス・プラスチック等の透明板１１が嵌めこまれている。上記カメラ６は、レール１０にスライド移動可能に取り付けられたアーム２２上に固定され、上記アーム２２が上下左右に回動することにより、レール１０上で上下左右に回動するようになっている。
【００２２】
上記筐体１の内部には、上記カメラ６から画像信号を受信して画像を合成する制御部７が設けられ
上記筐体１の内部には、制御部７から送信された合成画像の信号を受信し、この合成画像を記録媒体１５に印刷するプリンタ９が設けられ
【００２３】上記筐体１の上部および下部には、被写体２を照射する複数のライト１３（この例では４つづつ）が取り付けられている。上記ライト１３は、例えば、白，赤，青，黄それぞれ２灯づつ等、異なる色彩のものが複数種類設けられている。
【００２４】さらに、上記筐体１の前面右側部には、操作部１６が設けられている。この操作部１６は、使用者２がカメラを上下スライド移動および回動させるカメラ移動レバー２０や、上記複数のライト１３のうちひとつまたは２つ以上の任意のライト１３を選択して点灯するライト選択スイッチ２１を含む各種の操作ボタン・レバー等を有し、制御部７に操作信号を送信する。
【００２５】また、筐体１の前面には、コイン投入口１４が設けられ、筐体１内部のコイン投入口に隣接した位置に、投入したコインを検出して制御部７に検出信号を送信するコイン検出部１７（図５参照）が設けられる。また、筐体１前面の適所には、制御部７からサウンド信号を受信してサウンド出力するスピーカ１８が設けられている。
【００２６】また、上記筐体１のディスプレイ８の近傍には、タッチペン１２が備えられている。このタッチペン１２の先端をディスプレイ８の表面に接触させて文字や図形等を描いて入力することにより、手書き入力された文字・図形等の画像データがディスプレイ８に表示され、記録媒体１５に印刷されるようになっている。
【００２７】この例において、使用者２がディスプレイ８から見る合成画像および
プリンタ９から印刷される合成画像は、被写体２の像と、制御部７に予め記憶された記憶画像（所望のフレームや前景等）およびタッチペン１２による手書き入力画像が合成されたものである
【００２８】つぎに、上記制御部７のシステム構成について詳しく説明する。図５に示すように、上記制御部７は、各種制御を実行するコンピュータ３０を備えている。このコンピュータ３０は、操作部１６から使用者２の操作に基づく操作信号を受信し、タッチペン１２によって入力された信号を受信し、さらに、コイン検出部１７から検出信号を受信する。
【００２９】また、上記コンピュータ３０は、複数の画像データおよびサウンドデータを記憶する記憶装置３１を有している。このコンピュータ３０は、指定した画像データを記憶装置３１から読み出してグラフィックＩ／Ｆ（インターフェース）回路３２に転送するとともに、指定したサウンドデータを記憶装置３１から読み出してサウンドＩ／Ｆ回路３３に転送する。
【００３０】上記グラフィックＩ／Ｆ回路３２は、コンピュータ３０から受け取った記憶画像データを所定の記憶画像信号に変換して画像合成装置３４および表示選択回路３５に送信する。一方、サウンドＩ／Ｆ回路３３は、コンピュータ３０から受け取ったサウンドデータを所定のサウンド信号に変換してスピーカ１８に送信し、スピーカ１８からサウンド出力させる。
【００３１】また、上記制御部７には、上記カメラ６の移動を制御するコントローラ４０が設けられている。このコントローラ４０によるカメラ６の移動は、使用者２が操作部１６のカメラ移動レバー２０等を操作することにより行われ、使用者２が所望するレール１０上の任意の位置にカメラ６を移動させるとともに、上記レール１０上でカメラを上下左右に回動させるようになっている。そして、このカメラ６の移動および回動により、被写体２を撮影するカメラアングルが自在に変化するようになっている。
【００３２】また、上記制御部７には、複数のライト１３のうち任意のライト１３を選択して点灯する光源選択手段４１を備えている。この光源選択手段４１によるライト１３の選択は、使用者２が操作部１６のライト選択スイッチ２１を操作することによって行われる。なお、選択されるライト１３はひとつでもよいし２つ以上でもよい。
【００３３】さらに、上記制御部７には、タッチペン１２で入力された文字図形等の信号を受信して、描かれた文字・図形等の画像データを生成する画像生成装置３９が設けられている。
【００３４】上記カメラ６で撮影された被写体２の画像信号と、画像生成装置３９で生成された画像データは、画像合成装置３４に送信される。
画像合成装置
は、
被写体２の画像信号を第１画像信号として受信し、
記憶画像の画像信号を第２画像信号として受信し、第１画像と第２画像を合成する。さらに、
タッチペン１２での入力画像を第３画像信号として受信し、上記第１画像と第２画像の合成画像に合成する
　
　・・・略・・・
　
【００４９】しかも、
カメラアングルはカメラ
のスライド移動と回動とで無段階に変化させることができ、微妙な変化つけることができるうえ、全身を使ったさまざまなポーズの被写体
を多様なカメラアングルで撮影することができる
【００５０】なお、上記実施の形態では、本発明を、撮影された被写体の画像を含む原画像に基づいて印刷画像を生成し、この印刷画像を所定寸法の印刷用紙に印刷するプリント自販機に適用した例を示したが、これに限定するものではなく、銀塩写真の撮影装置にも適用することができる。
【００５１】また、上記カメラ６としては、デジタルカメラを用いることもできるし、ビデオカメラを用いることもでき、特に限定するものではない。さらに、上記実施の形態では、被写体２の前側だけにライト１３を配置した例を示したが、これに限定するものではなく、被写体２の背中から照射するライトを付け加える等、各種の位置にライトを配置することができる。
【００５２】また、上記実施の形態において、
記録媒体１５としては、
シール
等
を用いることができる
　
　ウ　上記ア及びイからみて、引用例１には、
「硬貨等が投入されて被写体を撮影し、シール，カード，紙類，フィルム等にプリントアウトする写真自販機において、
　従来、本体の内部に、略４５°の角度をもってハーフミラーが設けられ、このハーフミラーの奥に、被写体を撮影するカメラが設けられ、ハーフミラーの下方には、上記カメラで撮影された画像を表示するモニタが設けられている写真自販機では、被写体の顔写真やせいぜいバストアップ程度の写真しか撮ることができないため、被写体の顔写真だけでなく、全身を撮影できるものとして、カメラがハーフミラーの奥上方に取り付けられ、被写体を斜め上から見下ろすように、その全身を撮影することができるようにした写真自販機が実施されているが、該写真自販機でも、１台のカメラが固定されている点では前述のものと変わるところはなく、カメラアングルは一定に固定されていて、変化に富んだアングルで撮影することはできず、多様な写真をとりたいというニーズには十分に応えられていないという課題があったところ、
　変化に富んだ撮影を可能とする写真自販機の提供を目的として、使用者である被写体を撮影するカメラがスライド可能に取り付けられたレールが設けられ、上記レール上でカメラが回動しうるように構成することによって、上記レールをスライドしながら回動するカメラで被写体を撮影することにより、カメラアングルはカメラのスライド移動と回動とで無段階に変化させることができ、微妙な変化つけることができるうえ、全身を使ったさまざまなポーズの被写体を多様なカメラアングルで撮影することができ、変化に富んださまざまなカメラアングルでの撮影が可能となり、利用者の多様なニーズに応えるようにした、写真自販機であって、
　被写体２の背後には、外部からの光を遮断するカーテン３が配設され、このカーテン３は、筐体１の前面の上部および下部から突出された支持フレーム４，５によって支持され、上記カーテン３の内面には、画像の合成手法に応じた色彩が施されるものであり、例えば、クロマキー合成であれば、カーテン３の内面全体に緑，青等のクロマキー合成に適当な色の着色が施され、
　上記筐体１の内部には、上記カメラ６から画像信号を受信して画像を合成する制御部７が設けられ、上記筐体１の内部には、制御部７から送信された合成画像の信号を受信し、この合成画像をシール等の記録媒体１５に印刷するプリンタ９が設けられ、該プリンタ９から印刷される合成画像は、画像合成装置３４により、被写体２の像と、制御部７に予め記憶された記憶画像（所望のフレームや前景等）およびタッチペン１２による手書き入力画像が合成されたものである、
　写真自販機。」の発明（以下、「引用発明」という。）が記載されているものと認められる。
　
（２）本願の優先日前に頒布され原査定の拒絶の理由に引用文献２として引用された刊行物である特開２０１０−２５６５７９号公報（以下、「引用例２」という。）には、次の事項が図とともに記載されている
　
　ア　「【実施例】
【００３１】
  図１は、写真シール作成装置１の全体構成を示す右後方斜め上から見た斜視図である。  
 
 写真シール作成装置１は、
撮影空間部２、撮影筐体３、および編集筐体４が
配置され
【００３２】
  
撮影空間部２の前方
の全面には、撮影筐体３と高さおよび幅が同じサイズの背景板２３が設けられ、その両側部に側面板２４が設けられ
側面板２４は、背景板２３と同じ高さであり、該側面板２４と撮影筐体３との間にユーザが出入りする出入り口が形成され
【００３３】
  
撮影空間部２の床面には、床シート２５が敷かれ
この床シート２５と背景板２３と側面板２４は、撮影した際にユーザ（被写体）の背景となり得るものであり、同一色に形成され
この色は、クロマキー合成に適した緑や青、あるいは白など、適宜の色とすることができる
【００３４】
  撮影空間部２の天井部分の天井枠２２には、天井照明装置２１が設けられている。この天井照明装置２１は、撮影空間部２内のユーザを天井から全体的に明るく照明する。
【００３５】
  撮影空間部２の天井部分の前方（図示左）には、背景制御ユニット７４ａが設けられている。この背景制御ユニット７４ａは、例えば色の異なる複数の背景カーテン（ロールカーテン）で構成されており、このうちの適宜の背景カーテンを下降させることで背景色を変更できる。なお、背景制御ユニット７４ａの変わりに、クロマキー合成に適したカーテンを１枚備える構成にしてもよい。この場合、背景となるカーテンが単数でありながら、予め記憶された多種類の背景画像を合成して様々な背景にすることができる。」
　
　イ　上記アからみて、引用例２には、
「写真シール作成装置において、
　撮影空間部２、撮影筐体３、および編集筐体４が配置され、撮影空間部２の前方の全面には、撮影筐体３と高さおよび幅が同じサイズの背景板２３が設けられ、その両側部に側面板２４が設けられ、側面板２４は、背景板２３と同じ高さであり、該側面板２４と撮影筐体３との間にユーザが出入りする出入り口が形成され、撮影空間部２の床面には、床シート２５が敷かれ、この床シート２５と背景板２３と側面板２４は、撮影した際にユーザ（被写体）の背景となり得るものであり、同一色に形成されており、この色は、クロマキー合成に適した緑や青、あるいは白など、適宜の色とすることができること。」（以下、「引用例２の記載事項」という。）が記載されているものと認められる。
　
４　対比
　本願発明と引用発明とを対比する。
（１）引用発明の「『使用者』又は『被写体』」、「被写体２の像」、「タッチペン１２による手書き入力」、「シール」、「印刷」、「写真自販機」、「カメラ」、「クロマキー合成」及び「画像合成装置３４」は、それぞれ、本願発明の「『利用者』又は『被写体』」、「撮影画像」、「編集入力」、「シール紙」、「印刷」、「写真シール作成装置」、「カメラ部」、「クロマキー処理」及び「合成手段」に相当する。
　
（２）引用発明の「写真シール作成装置（写真自販機）」は、「利用者（使用者）」である「被写体（被写体）」の像である「撮影画像（被写体の像）」と、制御部７に予め記憶された記憶画像（所望のフレームや前景等）および「編集入力（タッチペン１２による手書き入力）」画像が合成された合成画像を「シール紙（シール）」等の記録媒体１５に「印刷（印刷）」するプリンタ９が設けられるものであるから、本願発明の「写真シール作成装置」と、「利用者を被写体として撮影し、得られた撮影画像に対して利用者に編集入力を行わせ、前記撮影画像を所定のシール紙に印刷する」点で一致する。
　
（３）引用発明において、「カメラ部（カメラ）」がレールにスライド可能に取り付けられ、上記レール上で「カメラ部」が回動しうるようになっており、カメラアングルは「カメラ部」のスライド移動と回動とで無段階に変化させることができ、微妙な変化つけることができるうえ、全身を使ったさまざまなポーズの被写体を多様なカメラアングルで撮影することができ、変化に富んださまざまなカメラアングルでの撮影が可能となっており、従来の「写真シール作成装置（写真自販機）」が、全身を撮影できるものとして、カメラがハーフミラーの奥上方に取り付けられ、被写体を斜め上から見下ろすように、その全身を撮影することができるようにしたものであったことを踏まえれば、前記多様なカメラアングルにおける撮影態様の１つとして、「使用者（利用者）」の全身を前方斜め上から撮影する撮影態様が含まれ、該撮影態様の際には、レール上における「カメラ部」の高さが調整されていることは明らかであるから、引用発明の「カメラ部」と、本願発明の「カメラ部」とは、「撮影空間にいる前記利用者の全身を前方斜め上から撮影するように、高さが調整される」点で一致する。
　
（４）引用発明の「写真シール作成装置（写真自販機）」は、「利用者（被写体２）」の背後には、外部からの光を遮断するカーテン３が配設され、このカーテン３の内面には、画像の合成手法に応じた色彩が施されるものであり、例えば、「クロマキー処理（クロマキー合成）」であれば、カーテン３の内面全体に緑，青等の「クロマキー処理」に適当な色の着色が施され、合成画像は、「合成手段（画像合成装置３４）」により、「撮影画像（被写体２の像）」と、制御部７に予め記憶された記憶画像（所望のフレームや前景等）およびタッチペン１２による手書き入力画像が合成されたものであり、上記（３）のように「利用者の全身を前方斜め上から撮影する」撮影態様による撮影により得られた撮影画像において、クロマキー処理により、背景領域となるカーテン３にフレーム等の所定の背景画像を合成することは当業者に自明であるから、本願発明の「写真シール作成装置」と、「前記カメラ部が前記利用者の全身を前方斜め上から撮影して得られた前記撮影画像において、クロマキー処理により、背景領域に所定の背景画像を合成する合成手段」を備える点で一致する。
　
（５）上記（１）ないし（４）から、本願発明と引用発明とは、
「利用者を被写体として撮影し、得られた撮影画像に対して利用者に編集入力を行わせ、前記撮影画像を所定のシール紙に印刷する写真シール作成装置であって、
　撮影空間にいる前記利用者の全身を前方斜め上から撮影するように、高さが調整されるカメラ部と、
　前記カメラ部が前記利用者の全身を前方斜め上から撮影して得られた前記撮影画像において、クロマキー処理により、背景領域に所定の背景画像を合成する合成手段と
　を備える写真シール作成装置。」である点で一致し、次の点で相違する。
　
　相違点１：
　本願発明では、「撮影空間における利用者の背面全面に貼付された背面クロマキー用シートと、前記撮影空間における前記利用者の側面下部のみに貼付された側面クロマキー用シートと、前記撮影空間の床全面に貼付された床面クロマキー用シートと」を備えるのに対して、
　引用発明では、被写体の背後には、外部からの光を遮断するカーテンが配設され、該カーテンの内面には、画像の合成手法に応じた色彩が施されるものであり、例えば、クロマキー合成であれば、カーテンの内面全体に緑，青等のクロマキー合成に適当な色の着色が施される点。
　
　相違点２：
　前記「カメラ部」が、
　本願発明では、「焦点距離が調整される」のに対し、
　引用発明では、「焦点距離が調整される」のかが明らかでない点。
　
５　判断
（１）上記相違点１について検討する。
　ア　クロマキー合成できる色を着色するためにクロマキーシートを用いることは周知（以下、「周知技術１」という。例．特開２００９−７１４６３号公報（【００２３】の「この撮影補助椅子９と、撮影台８と、撮影空間Ｚと、背面パネル６とは、クロマキー合成に適した同一色（例えば青、緑、白など）に着色されている。これにより、容易にクロマキー合成することができる。」との記載、【００８９】の「また、撮影台８の側面８ａが床面の色と異なる色に着色し、それ以外の撮影台８全体をクロマキー合成できる色（背面部の椅子を覆っているクロマキーシートと同色）に着色したため、撮影台８を容易に確認することができ、安全性に優れている。」との記載参照。）、特開２０１０−５４９２４号公報（【００１１】の「前記背景部材は、背景カーテン、背景板など、背景を構成する部材で構成することができる。この背景部材は、例えば背景板の表面を単色のクロマキーシートで覆う、あるいは単色のクロマキーシートで構成することができる。」との記載参照。）、特開２０１０−６１６４６号公報（【００５２】の「また、撮影ブース内側から見たシート材は均等な色調及び明度となるようにしてある。カメラ２１から観た場合にユーザの後方がシート材の均等な色調及び明度となるので、後述にて説明するようにユーザが写っている領域以外を透明化するクロマキー処理が可能になる。」との記載参照。））である。
　イ　上記３（２）イのように、引用例２の記載事項は、写真シール作成装置の撮影空間部において、床シート２５と背景板２３と側面板２４は、撮影した際にユーザ（被写体）の背景となり得るものであり、同一色に形成されており、この色は、クロマキー合成に適した緑や青、あるいは白など、適宜の色としたことである。
　ウ　引用発明は、被写体の背後にカーテンを配設し、該カーテンの内面には、画像の合成手法に応じた色彩が施され、カーテンの内面全体に緑，青等のクロマキー合成に適当な色の着色が施したものであり、変化に富んだ撮影を可能とすることを目的としていることからして、カーテン領域外についても、撮影画像に写り込む可能性があるところ、引用発明において、背景となるカーテンに換えて、引用例２の記載事項のように、クロマキー合成に対応した床シートと背景板と側面板を採用することは当業者が引用例２の記載事項に基づいて容易になし得たことである。
　エ　引用発明において、上記ウのように、クロマキー合成に対応した床シートと背景板と側面板を採用した際に、上記アからみて、クロマキー用シートを貼付する構成となすことは、当業者が周知技術１に基づいて適宜なし得たことである。
　オ　そして、クロマキーシートで覆う範囲は、少なくともカメラで撮影した撮影画像に写り込む範囲とすることが技術常識（例．上記特開２０１０−５４９２４号公報の【００４１】参照。）であるところ、引用発明において、全身を斜め上方から撮影する場合には、上記エのように、クロマキー用シートを貼付する箇所を必要最低限の箇所、例えば、側面板については撮影空間における利用者の側面下部のみとなすことは当業者が技術常識に基づいて適宜なし得た設計的事項にすぎない。
　カ　してみると、引用発明において、相違点１に係る本願発明の構成となすことは、当業者が周知技術１及び技術常識に基づいて適宜なし得たことである。
　
（２）上記相違点２について検討する。
　ア　写真を撮影してシールプリント等にする写真自販機において、カメラにズームレンズを備えることは周知（以下、「周知技術２」という。例．特開２００２−１２５１７６号公報（【００３５】の「このズームダイヤル１０により、カメラ６のズームレンズを操作してカメラ６が撮像する画角を調節しうるようになっている。・・・このフットペダル１０Ａを備えたことにより、全身撮影や複数人での撮影等の際に、筐体１から離れた位置に立ったままズーミング操作が行なえる。」との記載、【００６８】の「ここでは、プリントする印刷媒体１５として、シール台紙やはがき等のなかから所望のシートを選択したり、シールプリントにおけるシールの枚数や大きさを選択することが行なわれる。そして、シートが選択されると、プリンタ９で所定の印刷媒体１５に選択された固定画像の印刷が行なわれる（ステップ１１０）。」との記載参照。）、特開２００１−３１１９９３号公報（【請求項１】の「前記表示画面では撮影範囲の選択を該使用者に対して促す選択画面が表示され、当該使用者の選択に応じて前記カメラがズームイン又はズームアウトを行うことを特徴とするフォトブース。」との記載、【００１２】の「フォトブースは、・・・合成部４で合成された合成画像データＣを一枚のプリントシールからなる被印刷体５にプリントするレーザープリンタからなる印刷手段６と、・・・とを備えている。」との記載参照。）、特開２００７−２９５５９８号公報（【０１０６】の「尚、本実施の形態では、以上に説明した通りズームレンズは自動的に調整されるが、これ以外に、ここでは詳述しないが、コンピュータ７による自動制御を行わず、利用者Ｍが操作スイッチ９を操作することでズームレンズを制御する、などの手段を設けることも考えられる。」との記載、【０１０７】の「以上のようにして、本発明に係る映像プリント装置Ａにより合成画像４５が作成され、印刷される。ところで、この合成画像４５の印刷を、従来の映像プリント装置のように、シール紙に印刷することも可能であるが、本実施の形態による映像プリント装置では、合成画像４５をシール紙ではなく、厚手タック紙Ｔである印刷用紙Ｒに印刷するように構成している。」との記載参照。））である。
　イ　引用発明は、変化に富んだ撮影を可能とする写真自販機（写真シール作成装置）の提供を目的としているところ、引用発明において、カメラアングルだけでなく、様々な画角を得るために、カメラ部が焦点距離が調整されるようになすこと、すなわち、相違点２に係る本願発明の構成となすことは当業者が周知技術２に基づいて適宜なし得たことである。
　
（３）本願発明の奏する効果は、引用発明の奏する効果、引用例２の記載事項の奏する効果、周知技術１の奏する効果及び周知技術２の奏する効果から当業者が予測することができた程度のものである。
　
（４）したがって、本願発明は、当業者が引用例１に記載された発明、引用例２の記載事項、周知技術１及び周知技術２に基づいて容易に発明をすることができたものである。
　
（５）なお、本願明細書には、その【００８９】に「なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。」と記載され、クロマキー用シートはカメラの画角に入る部分より広ければよいものであるので、撮影時の画角を想定して、側面クロマキー用シートを下部のみに配置することは、当業者が適宜なし得る程度のことであるともいうことができる。
　
６　むすび
　本願発明は、以上のとおり、当業者が引用例１に記載された発明、引用例２の記載事項、周知技術１及び周知技術２に基づいて容易に発明をすることができたものであるから、特許法第２９条第２項の規定により特許を受けることができない。
　よって、結論のとおり審決する。